(57)【特許請求の範囲】
【請求項１】
ケーブルの一端が取着されている上部インストルメントパネルである第１部品を下部インストルメントパネルである第２部品に組み付けた後、前記ケーブルを前記第１部品から延出させて前記第２部品上に配置する自動車の部品組み付け方法において、
前記ケーブルに固定された取付治具を、前記第１部品に設けられた第１取付部に対し着脱自在に取り付けて、前記ケーブルを第１部品上に仮置きする第１ステップと、
前記第１部品を前記第２部品に組み付ける第２ステップと、
前記取付治具を前記第１取付部から取り外した後、前記第２部品に設けられた第２取付部に対し前記取付治具を取り付けることにより、前記ケーブルを前記第１部品から延出させて前記第２部品上に配置する第３ステップと
を備えることを特徴とする自動車の部品組み付け方法。
【請求項２】
請求項１記載の自動車の部品組み付け方法において、
前記取付治具は、前記第１取付部に対し着脱自在に係合すると共に前記第２取付部に対し固定される係合部を有していることを特徴とする自動車の部品組み付け方法。
【請求項３】
請求項１又は２記載の自動車の部品組み付け方法において、
前記取付治具には、前記ケーブルが取り付けられる取付面が設けられ、前記ケーブルは、その長軸を前記取付治具の長軸と平行にして前記取付面に取り付けられ、
前記取付治具を前記第２取付部に取り付けた状態で、前記取付面により、前記第２部品上に配置される前記ケーブルの傾きが固定されることを特徴とする自動車の部品組み付け方法。
【請求項４】
請求項１〜３のうちのいずれか一項に記載の部品組み付け方法により組み付けられた自動車の組み付け部品。
【発明の詳細な説明】
【技術分野】
【０００１】
本発明は、自動車の製造工程において、２つの部品を組み付ける方法、及びその方法により組み付けられた組み付け部品に関する。
【背景技術】
【０００２】
従来、自動車の製造工程において、ケーブルの一端が取付けられた上部インストルメントパネル等の第１部品を、下部インストルメントパネル等の第２部品に組み付けることがある。この場合、第１部品を第２部品に組み付けた後、ケーブルを第１部品から延出させて第２部品上に配置していた。しかしながら、このような場合、両部品の組み付け時に、ケーブルが邪魔になる。このため、両部品を組み付ける前に、図１３に示す方法により、ケーブルを第１部品上に仮置きしていた。
【０００３】
従来の仮置き方法では、第１部品５１上の仮置き位置に、弾性変形可能な係止爪５２を設ける。また、第１部品５１上に仮置されるケーブル５３の所定位置に、予め、スポンジやテープからなる目印５４を固定する。そして、ケーブル５３を目印５４の部分で係止爪５２に係止させることにより、ケーブル５３を第１部品５１上に仮置きしていた。
【０００４】
ところが、この方法によれば、目印５４の長さＬ１を係止爪５２の長さＬ２よりも大きく設定し、ケーブル５３を目印５４の長さＬ１の範囲内で仮置きしている。このため、第１部品５１にケーブル５３を仮置きする際、仮置き位置にばらつきが生じていた。また、この方法によれば、ケーブル５３が僅かに引っ張られただけで、ケーブル５３の位置がずれてしまう虞もあった。
【０００５】
なお、本発明の技術分野において、国際分類のＢ６０Ｒ１６／０２とＨ０２Ｇ３／３０の両分野での出願前調査を行ったが、直接に関連する公報は見あたらなかった。
【発明の概要】
【発明が解決しようとする課題】
【０００６】
本発明の目的は、取付位置のばらつきや位置ずれを生じることなく、自動車を構成する２つの部品のうちの一方にケーブルを仮置きしてから、２つの部品を容易に組み付けることのできる自動車の部品組み付け方法及び組み付け部品を提供することにある。
【課題を解決するための手段】
【０００７】
上述した課題を解決するため、本発明の請求項１の発明によれば、ケーブルの一端が取着されている上部インストルメントパネルである第１部品を下部インストルメントパネルである第２部品に組み付けた後、ケーブルを第１部品から延出させて第２部品上に配置する自動車の部品組み付け方法が提供される。この組み付け方法によれば、第１ステップでは、ケーブルに固定された取付治具を、第１部品に設けられた第１取付部に対し着脱自在に取り付けて、ケーブルを第１部品上に仮置きする。第２ステップでは、第１部品を第２部品に組み付ける。第３ステップでは、取付治具を第１取付部から取り外した後、第２部品に設けられた第２取付部に対し取付治具を取り付けることにより、ケーブルを第１部品から延出させて第２部品上に配置する。
【０００８】
この方法によれば、取付位置のばらつきや位置ずれを生じることなく、ケーブルを第１部品に仮置きすることができ、第１部品及び第２部品の組み付けを容易に行うことができる。また、この方法によれば、第１ステップにおいて、ケーブルに固定された取付治具を第１部品の第１取付部に取り付ける。これにより、取付位置のばらつきや位置ずれを生じることなく、ケーブルを第１部品上の所定位置に仮置きすることができる。よって、次の第２ステップにおいて、第１部品上のケーブルが邪魔にならないため、第１部品を第２部品に対して容易に組み付けることができる。
【０００９】
また、第３ステップにおいて、取付治具を第１取付部から取り外してから、第２部品の第２取付部に取り付ける。これにより、ケーブルが第１部品から延出されて、第２部品上に配置される。このため、第２部品上へのケーブルの配置作業を簡単に行うことができる。また、この場合、取付治具を、第１部品に対するケーブルの仮置用治具としてだけではなく、第２部品に対するケーブルの配置用取付具として用いることもできる。
【００１０】
請求項２の発明は、請求項１において、取付治具は、第１取付部に対し着脱自在に係合すると共に第２取付部に対し固定される係合部を有していることが好ましい。
この場合、取付治具の係合部を第１部品の第１取付部から取り外し、ケーブルを第１部品から延出させた状態で、取付治具の係合部を第２部品の第２取付部に取り付けることができる。これにより、ケーブルを、第２部品上の所定位置に固定することができる。
【００１１】
請求項３の発明は、請求項１又は２において、取付治具には、ケーブルが取り付けられる取付面が設けられ、ケーブルは、その長軸を取付治具の長軸と平行にして取付面に取り付けられ、取付治具を第２取付部に取り付けた状態で、取付面により、第２部品上に配置されるケーブルの傾きが固定されることが好ましい。  この場合、取付治具を第２部品の第２取付部に取り付けた状態で、取付治具の取付面により、第２部品上に配置されたケーブルの傾きが固定されている。よって、ケーブルの配置作業を容易に行うことができる。
【００１３】
請求項４の発明は、上記の部品組み付け方法により組み付けられた自動車の組み付け部品を要旨としている。
【発明の効果】
【００１４】
以上詳述したように、請求項１の発明によれば、取付位置のばらつきや位置ずれを生じることなく、自動車を構成する２つの部品のうちの一方にケーブルを仮置きしてから、２つの部品を容易に組み付けることのできる自動車の部品組み付け方法を提供できる。
【００１５】
請求項２の発明によれば、ケーブルを、第２部品上の所定位置に固定することができる。
請求項３の発明によれば、ケーブルの配置作業を容易に行うことができる。
【００１７】
請求項４の発明によれば、請求項１乃至請求項３の発明の方法によって組み付けられた自動車の組み付け部品を提供できる。
【図面の簡単な説明】
【００１８】
【図１】本発明の一実施形態に係る自動車の部品組み付け方法により上部インストルメントパネルにケーブルを仮置きした状態で示す斜視図。
【図２】ケーブル付近を拡大して示す部分斜視図。
【図３】図２に示す部分を上部インストルメントパネルの裏面から見た部分斜視図。
【図４】上部インストルメントパネルからケーブル用の取付治具を取り外した状態を示す部分斜視図。
【図５】図４に示す部分を上部インストルメントパネルの裏面から見た部分斜視図。
【図６】取付治具を示す斜視図。
【図７】部品組み付け方法の第１ステップを示す斜視図。
【図８】部品組み付け方法の第２ステップを示す斜視図。
【図９】部品組み付け方法の第３ステップの前動作を説明するための斜視図。
【図１０】第３ステップで取付治具の取り外し時のケーブル付近を拡大して示す部分斜視図。
【図１１】図１０に示す部分を上部インストルメントパネルの裏面から見た部分斜視図。
【図１２】第３ステップの後動作を説明するための斜視図。
【図１３】従来の方法によりケーブルを部品上に仮置きした状態を示す要部斜視図。
【発明を実施するための形態】
【００１９】
以下に、本発明の自動車の部品組み付け方法を具体化した一実施形態について図１〜図１２に従って説明する。本実施形態では、第１部品が自動車の上部インストルメントパネルであり、第２部品が自動車の下部インストルメントパネルである。本実施形態の説明では、上部インストルメントパネルを上部パネルとし、下部インストルメントパネルを下部パネルとして、以下に記載する。
【００２０】
図１に示すように、上部パネル２１は、合成樹脂等により一体に形成されている。上部パネル２１の下部には、複数の係止部２２が形成されている。各係止部２２は、弾性変形可能な係止爪２２ａを有している。ケーブル２３の一端には、取着部２３ａが設けられている。ケーブル２３は、取着部２３ａを介して、上部パネル２１に取着されている。ケーブル２３の中間部には、取付治具２４及び止着具２５が固定されている。取付治具２４及び止着具２５は、ケーブル２３の長さ方向に間隔をおいて配置されている。
【００２１】
図１〜図３及び図６に示すように、取付治具２４は、取付面２６ａを有する細長い取付板部２６を備えている。ケーブル２３は、その長軸を取付板部２６の長軸と平行にして取付面２６ａに取り付けられている。取付板部２６の裏面には、取付座部２７が形成されている。取付座部２７は、横方向に長い円錐台状に形成されている。取付板部２６の裏面には、軸部２９を介して係合部２８が設けられている。係合部２８は、弾性変形可能な一対の係合爪からなる。ケーブル２３は、テープ等の固定具３０により、取付板部２６の取付面２６ａ上に固定されている。
【００２２】
止着具２５は、取付面３１ａを有する略Ｌ字状の取付板部３１を備えている。ケーブル２３は、湾曲させられた状態で、止着具２５の取付面３１ａに取り付けられている。取付板部３１の裏面には、図示しない一対の取付爪が設けられている。ケーブル２３は、一対のテープ等の固定具３２により、取付板部３１の取付面３１ａ上に固定されている。
【００２３】
図１〜図５に示すように、上部パネル２１には、第１取付部としての第１取付孔３３が形成されている。第１取付孔３３は、係合孔部３３ａと、係合孔部３３ａの下端から連続して延びる解除孔部３３ｂとを備えている。係合孔部３３ａは、横方向に長い楕円形状に形成されている。解除孔部３３ｂは、断面略Ｌ字状に形成されている。ケーブル２３を上部パネル２１に取り付ける際、図２に示すように取付治具２４を横向きに配置した状態で係合孔部３３ａに対して係合部２８を弾性変形させながら押し込み係止させる。これにより、取付治具２４が固定される。すなわち、係合部２８が、係合孔部３３ａの開口周縁に係合される（図３参照）。こうして、取付治具２４が、第１取付孔３３に対して着脱可能に取り付けられる。
【００２４】
上部パネル２１の前面には、一対の保持爪３４が形成されている。各保持爪３４は、ケーブル２３の止着具２５付近を挟持できるように弾性変形可能である。上記のようにして取付治具２４を第１取付孔３３に取り付けると共にケーブル２３を保持爪３４間に挟持させることにより、ケーブル２３は、下方へ垂れ下がらないよう上部パネル２１の前面に仮置きされる。
【００２５】
図７及び図８に示すように、下部パネル３８は、合成樹脂等により一体に形成されている。下部パネル３８の前面には、上部パネル２１の係止部２２に係合可能な複数の係止孔３９が形成されている。係止爪２２ａが係止孔３９に係止されることにより、上部パネル２１が下部パネル３８に組み付けられる。
【００２６】
下部パネル３８の前面には、第２取付部としての第２取付孔４０が形成されている。第２取付孔４０は、細長い円形状に形成されている。取付孔４０は、垂直線に対して所定角度で傾斜している。図１２に示すように、取付治具２４を第１取付孔３３から取り外した後、取付治具２４の係合部２８を弾性変形させながら第２取付孔４０に押し込み、係止させる。これにより、取付治具２４が下部パネル３８上に固定される。こうして、ケーブル２３が上部パネル２１から延出されて、下部パネル３８上に配置される。このとき、取付板部２６の取付面２６ａは、下部パネル３８の前面において、垂直線に対して所定角度で傾斜している。これにより、取付板部２６の取付面２６ａに固定されたケーブル２３の傾きも、右下がりの所定角度に固定される。
【００２７】
図７に示すように、下部パネル３８の内側面には、一対の係合孔４１，４２が形成されている。係合孔４１，４２は、第２取付孔４０の下方に位置している。止着具２５の裏面には、図示しない取付爪が設けられている。図１２に示すように、取付治具２４を下部パネル３８の第２取付孔４０に取り付けた後、止着具２５の取付爪を介して、ケーブル２３の止着具２５を係合孔４１，４２に係合する。これにより、止着具２５が、下部パネル３８の内側面に取り付けられる。こうして、ケーブル２３は、止着具２５を介して、下部パネル３８の前面から裏面へと導かれるように保持される。
【００２８】
次に、上部パネル２１を下部パネル３８に組み付ける方法について説明する。この組み付け方法では、３つのステップに従って、組み付け作業が進められる。
図１に示すように、第１ステップでは、ケーブル２３の取着部２３ａを上部パネル２１に取着し、ケーブル２３の取付治具２４を上部パネル２１の第１取付孔３３に取り付ける。また、ケーブル２３の止着具２５付近を、上部パネル２１の保持爪３４間に挟持させる。これにより、ケーブル２３は、下方へ垂れ下がらないよう上部パネル２１の前面に仮置きされる。
【００２９】
第２ステップでは、図７に示すように、上部パネル２１の各係止部２２を、下部パネル３８の対応する係止孔３９に配置する。そして、図８に示すように、各係止部２２の係止爪２２ａを各係止孔３９に挿入及び係止させる。これにより、上部パネル２１が下部パネル３８に組み付けられる。このとき、ケーブル２３が上部パネル２１の前面に仮置きされているため、下部パネル３８に対する上部パネル２１の組み付け時に、ケーブル２３が邪魔になることはない。
【００３０】
第３ステップでは、まず、ケーブル２３を、上部パネル２１の保持爪３４間から取り外す。次に、ケーブル２３の取付治具２４を、図８に示す状態から時計方向に９０度だけ回動させる。そして、取付治具２４の向きを、横方向から、図９及び図１０に示す縦方向へと変更する。これにより、図１１に示すように、取付治具２４の係合部２８が、第１取付孔３３の係合孔部３３ａから離脱し、第１取付孔３３の解除孔部３３ｂ内に配置される。この状態で、取付治具２４を下方に移動させると、係合部２８が解除孔部３３ｂから抜け出て、取付治具２４を第１取付孔３３から取り外すことができる。
【００３１】
その後、図１２に示すように、取付治具２４の係合部２８を弾性変形させながら下部パネル３８の第２取付孔４０に押し込み、係止させる。これにより、取付治具２４が下部パネル３８に固定される。こうして、ケーブル２３が上部パネル２１から延出されて、下部パネル３８上に配置される。この場合、取付板部２６の取付面２６ａは、下部パネル３８の前面において、右下がりに傾斜している。このため、取付板部２６の取付面２６ａに固定されたケーブル２３の傾きも、取付面２６ａと同じく、右下がりの所定角度に固定される。
【００３２】
最後に、図１２に示すように、止着具２５の取付爪を介して、ケーブル２３の止着具２５を、下部パネル３８の係合孔４１，４２に係合する。これにより、止着具２５が、下部パネル３８の内側面に取り付けられる。こうして、ケーブル２３が、止着具２５を介して、下部パネル３８の前面から裏面へと導かれるように保持される。
【００３３】
従って、この実施形態によれば、以下のような効果を得ることができる。
（１）第１ステップにおいて、ケーブル２３に固定された取付治具２４を上部パネル２１の第１取付孔３３に取り付けることにより、ケーブル２３を上部パネル２１上に仮置きすることができる。このため、取付位置のばらつきや位置ずれを生じることなく、ケーブル２３を上部パネル２１上の所定位置に仮置きすることができる。よって、次の第２ステップにおいて、上部パネル２１上のケーブル２３が邪魔にならないため、上部パネル２１を下部パネル３８に対して容易に組み付けることができる。
【００３４】
（２）また、第３ステップにおいて、取付治具２４を第１取付孔３３から取り外してから、下部パネル３８の第２取付孔４０に取り付ける。これにより、ケーブル２３が上部パネル２１から延出されて、下部パネル３８上に配置される。このため、下部パネル３８上へのケーブル２３の配置作業を簡単に行うことができる。また、この場合、取付治具２４を、上部パネル２１に対するケーブル２３の仮置用治具としてだけでなく、下部パネル３８に対するケーブル２３の配置用取付具として用いることもできる。
【００３５】
（３）取付治具２４の係合部２８は、第１取付孔３３に対し着脱自在に係合すると共に第２取付孔４０に対し固定される。このため、取付治具２４の係合部２８を上部パネル２１の第１取付孔３３から取り外すことにより、ケーブル２３を上部パネル２１から延出した状態で、取付治具２４の係合部２８を下部パネル３８の第２取付孔４０に取り付けることができる。これにより、ケーブル２３を、下部パネル３８上の所定位置に固定することができる。
【００３６】
（４）取付治具２４の取付面２６ａには、ケーブル２３が、その長軸を取付板部２６の長軸と平行にして取り付けられている。また、取付治具２４を下部パネル３８の第２取付孔４０に取り付けた状態で、取付面２６ａにより、下部パネル３８上に配置されたケーブル２３の傾きが固定されている。このため、下部パネル３８上でのケーブル２３の配置方向を自動的に固定することができ、ケーブル２３の配置作業を容易に行うことができる。
【００３７】
この実施形態は、次のように変更してもよい。
・取付治具２４の取付板部２６や係合部２８の構成を任意に変更してもよい。
・上部パネル２１の第１取付孔３３の構成を任意に変更してもよい。
【００３８】
・下部パネル３８の第２取付孔４０の構成を任意に変更してもよい。
・本発明を、上部パネル２１及び下部パネル３８以外にも、自動車を構成する任意の２つの部品の組み付けに適用してもよい。
【符号の説明】
【００３９】
２３…ケーブル、２４…取付治具、２６ａ，３１ａ…取付面、２８…係合部。
【図１】
0005581512.tif 000002
【図２】
0005581512.tif 000003
【図３】
0005581512.tif 000004
【図４】
0005581512.tif 000005
【図５】
0005581512.tif 000006
【図６】
0005581512.tif 000007
【図７】
0005581512.tif 000008
【図８】
0005581512.tif 000009
【図９】
0005581512.tif 000010
【図１０】
0005581512.tif 000011
【図１１】
0005581512.tif 000012
【図１２】
0005581512.tif 000013
【図１３】
0005581512.tif 000014